【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
6個の炭素〜30個の炭素の炭素数を有する直鎖アルファオレフィン及び/又は直鎖内部オレフィンを含む直鎖オレフィン部分; 及び
オレフィンの二量体、三量体、四量体、及び/又は高級オリゴマーを含むオリゴマー部分であって、オレフィンが4個の炭素と12個の炭素の間の炭素数を有し、オリゴマー部分が少なくとも50モルパーセントの三置換オレフィンを含む、前記オリゴマー部分を含む、掘削流体であって、
前記掘削流体が、-10℃以下の流動点、1.0以下の生分解比、1.0以下の毒性比、少なくとも60%のMarine Bodis、110℃以上の引火点、90質量%以上のオレフィン含有量、40℃において4cSt未満の粘度、0.78〜0.83グラム/mlの密度、及び3を超えるlog Powを有し、且つ
前記掘削流体が、下記の炭素数分布及びオレフィン分布を有する、前記掘削流体。
炭素数            質量パーセント
C12               1〜4
C14               1〜55
C16               0.1〜50
C18               15〜50
C20+              8〜20
C24               1〜30
C24+              2〜25
オレフィン        モルパーセント
ビニル            30〜55
内部オレフィン    5〜60
三置換オレフィン  15〜50
ビニリデン        2〜25
【請求項２】
前記掘削流体が、下記の炭素数分布及びオレフィン分布を有する、請求項1に記載の掘削流体。
炭素数            質量パーセント
C12              1.4〜3.5
C14              20〜55
C16              0.2〜45
C18              20〜43
C20+             8〜18.5
C24             1.5〜25
C24+             2.5〜20
オレフィン        モルパーセント
ビニル            33〜53.5
内部オレフィン    5.5〜57.5
三置換オレフィン  17〜45
ビニリデン        3〜23
【請求項３】
掘削流体が、0.1〜60質量パーセントの直鎖オレフィン部分を含む、請求項1に記載の掘削流体。
【請求項４】
直鎖アルファオレフィン含有量が50質量パーセントのC14であり、掘削流体が50質量%のオリゴマー部分を含んでいる、請求項1に記載の掘削流体。
【請求項５】
前記オリゴマー部分が、主として1-オクテンの二量体と三量体を、二量体の三量体に対する比が1:1を超える比で含む、請求項1に記載の掘削流体。
【請求項６】
前記オリゴマー部分が、主として1-ヘキセンの三量体を、三量体含有量が50%を超える量で含む、請求項1に記載の掘削流体。
【請求項７】
(i)前記流体が-20℃以下の流動点を有するか、或いは
(ii)前記流体が120℃以上の引火点を有するか、或いは
(iii)前記流体が0.79〜0.82グラム/mlの密度を有するか、或いは
(iv)前記流体が40℃において3cSt未満の粘度を有する、請求項1に記載の掘削流体。
【請求項８】
前記オリゴマー部分が酸タイプの触媒によって製造されており; 前記酸タイプの触媒がプロトン性助触媒、非プロトン性助触媒、又はこれらの混合物によって促進される三フッ化ホウ素を含んでいる、請求項1に記載の掘削流体。
【請求項９】
掘削流体が、前記オリゴマー部分の成分のみの生分解性に対し、少なくとも20パーセントの改善された生分解性を有する、請求項1に記載の掘削流体。
【請求項１０】
掘削流体が、第1の流体成分のみと第2の掘削流体成分のみの両方の毒性に対し、少なくとも30パーセントの改善された毒性を有する、請求項1に記載の掘削流体。
【請求項１１】
掘削流体が、ベース流体1グラムにつき0.00001グラム未満の多環芳香族炭化水素を含んでいる、請求項1に記載の掘削流体。
【請求項１２】
掘削流体が、パート435のサブパートAのアペンディックス2 - 40 CFRパート435における掘削流体毒性試験(EPA法1619)で特定されるように、ミシドプシス・バヒア(Mysidopsis bahia)又はミシス・レリクタ(Mysis relicta)を用いての、掘削流体浮遊微粒子相(SPP)に対する海水の容積比で、30,000ppmの最低96時間LC50を有する、請求項1に記載の掘削流体。
【請求項１３】
前記直鎖オレフィン部分の成分が異性化又は水素添加されていない、請求項1に記載の掘削流体。
【請求項１４】
直鎖アルファオレフィン、直鎖内部オレフィン、分枝鎖オレフィン、分枝鎖内部オレフィン、エステル、水、鉱油、強化鉱油、水中油型エマルジョン、油中水型エマルジョン、パラフィン、脂肪酸、又はこれらの混合物を更に含む、請求項1に記載の掘削流体。
【請求項１５】
4個の炭素と12個の炭素の間の炭素数を有するオレフィンをオリゴマー化して、オリゴマー部分を形成する工程であって、オリゴマー部分が酸タイプの触媒で形成されている、前記工程; 及び
オリゴマー部分と直鎖オレフィン部分をブレンドする工程
を含む、掘削流体の製造方法であって、
前記掘削流体が、下記の炭素数分布及びオレフィン分布を有する、前記製造方法。
炭素数            質量パーセント
C12               1〜4
C14               1〜55
C16               0.1〜50
C18               15〜50
C20+              8〜20
C24               1〜30
C24+              2〜25
オレフィン        モルパーセント
ビニル            30〜55
内部オレフィン    5〜60
三置換オレフィン  15〜50
ビニリデン        2〜25
【請求項１６】
前記掘削流体が、下記の炭素数分布及びオレフィン分布を有する、請求項15に記載の方法。
炭素数            質量パーセント
C12              1.4〜3.5
C14              20〜55
C16              0.2〜45
C18              20〜43
C20+             8〜18.5
C24             1.5〜25
C24+             2.5〜20
オレフィン        モルパーセント
ビニル            33〜53.5
内部オレフィン    5.5〜57.5
三置換オレフィン  17〜45
ビニリデン        3〜23
【請求項１７】
掘削流体が、-10℃以下の流動点、1.0以下の生分解比、1.0以下の毒性比、少なくとも60%のMarine Bodis、110℃以上の引火点、40℃において4cSt未満の粘度、0.78〜0.83グラム/mlの密度、及び3を超えるlog Powを有する、請求項15に記載の方法。
【請求項１８】
掘削流体が、0.1〜60質量パーセントの直鎖オレフィン部分を含んでいる、請求項15に記載の方法。
【請求項１９】
直鎖アルファオレフィン含有量が50質量パーセントのC14であり、掘削流体が50質量%のオリゴマー部分を含んでいる、請求項15に記載の方法。
【請求項２０】
(i)前記流体が-20℃以下の流動点を有するか、或いは
(ii)前記流体が120℃以上の引火点を有するか、或いは
(iii)前記流体が0.79〜0.82グラム/mlの密度を有するか、或いは
(iv)前記流体が40℃において3cSt未満の粘度を有する、請求項17に記載の方法。
【請求項２１】
前記オリゴマー部分が酸タイプの触媒によって製造されており; 前記酸タイプの触媒がプロトン性助触媒、非プロトン性助触媒、又はこれらの混合物によって促進される三フッ化ホウ素を含んでいる、請求項15に記載の方法。
【請求項２２】
掘削流体が、前記オリゴマー部分の成分のみの生分解性に対し、少なくとも20パーセントの改善された生分解性を有する、請求項15に記載の方法。
【請求項２３】
掘削流体が、第1の流体成分のみと第2の掘削流体成分のみの両方の毒性に対し、少なくとも30パーセントの改善された毒性を有する、請求項15に記載の方法。
【請求項２４】
掘削流体が、ベース流体1グラムにつき0.00001グラム未満の多環芳香族炭化水素を含んでいる、請求項15に記載の方法。
【請求項２５】
掘削流体が、パート435のサブパートAのアペンディックス2 - 40 CFRパート435における掘削流体毒性試験(EPA法1619)において特定されるように、ミシドプシス・バヒア(Mysidopsis bahia)又はミシス・レリクタ(Mysis relicta)を用いての、掘削流体浮遊微粒子相(SPP)に対する海水の容積比で、30,000ppmの最低96時間LC50を有する、請求項15に記載の方法。
【請求項２６】
前記直鎖オレフィン部分の成分が異性化又は水素添加されていない、請求項15に記載の方法。
【手続補正２】
【補正対象書類名】明細書
【補正対象項目名】００２３
【補正方法】変更
【補正の内容】
【００２３】
望ましくは、掘削流体及び/又は掘削流体の流体成分には、多環芳香族炭化水素及び/又は多核芳香族炭化水素、例えば、合成プロセス及び/又は工程によって製造される液体を含まず且つ/又は有しない。直鎖オレフィン部分には、任意の最低量及び/又は含有量の多環芳香族炭化水素及び/又は多核芳香族炭化水素、例えばベース流体1グラムにつき約0.00001グラム未満の多環芳香族炭化水素(試験レベルを合格)、沖合の石油・ガス産業排出におけるディーゼル、鉱物及び原油の測定方法に発表されたように、方法1654Aによって測定されたベース流体1グラムにつき約0グラムの多環芳香族炭化水素を含めることができる。
同様に、直鎖オレフィン部分とオリゴマー部分両方を含む掘削流体には、任意の最低量又は含有量の多環芳香族炭化水素又は多核芳香族炭化水素、例えばベース流体1グラムにつき約0.00001グラム未満の多環芳香族炭化水素、ベース流体1グラムにつき約0グラムの多環芳香族炭化水素が含まれてもよい。
他の態様において、掘削流体は、パート435のサブパートAのアペンディックス2 - 40 CFRパート435における掘削流体毒性試験(EPA法1619)で確認されるようにミシドプシス・バヒア(Mysidopsis bahia)又はミシス・レリクタ(Mysis relicta)を用いた海水の掘削流体浮遊微粒子相(SPP)に対する容積比で30,000ppmの最低96時間LC50を有する。
一実施態様によれば、直鎖オレフィン部分は、異性化及び/又は水素添加されない(飽和されない)。或いは、直鎖オレフィン部分は、異性化及び/又は水素添加されてもよい。
本発明としては、以下の態様も好ましい。
〔１〕  掘削流体であって、
約6個の炭素〜約30個の炭素の炭素数を有する直鎖アルファオレフィン及び/又は直鎖内部オレフィンを含む直鎖オレフィン部分; 及び
オレフィンの二量体、三量体、四量体、及び/又は高級オリゴマーを含むオリゴマー部分であって、オレフィンが約4個の炭素と約12個の炭素の間の炭素数を有し、オリゴマー部分が少なくとも約50モルパーセントの三置換オレフィンを含む、前記オリゴマー部分を含み、
掘削流体が、約-10℃以下の流動点、約1.0以下の生分解比、約1.0以下の毒性比、少なくとも約60%のMarine Bodis、約110℃以上の引火点、90質量%以上のオレフィン含有量、40℃において約4cSt未満の粘度、約0.78〜約0.83グラム/mlの密度、及び約3を超えるlog Powを有する、前記掘削流体。
〔２〕  掘削流体が、約0.1〜約60質量パーセントの直鎖オレフィン部分を含む、〔1〕に記載の掘削流体。
〔３〕  掘削流体が、約1〜約50質量パーセントの直鎖オレフィン部分を含む、〔2〕に記載の掘削流体。
〔４〕  直鎖アルファオレフィン含有量が約50質量パーセントのC14であり、掘削流体が約50質量%のオリゴマー部分を含んでいる、〔1〕に記載の掘削流体。
〔５〕  前記オリゴマー部分が、1-オクテンの主に二量体と三量体を二量体の三量体に対する比が約1:1を超えて含んでいる、〔1〕に記載の掘削流体。
〔６〕  前記オリゴマー部分が、1-オクテンの主に二量体と三量体を二量体の三量体に対する比が約1:1を超えて含み、前記オリゴマー部分が少なくとも約90質量パーセントの二量体を含んでいる、〔1〕に記載の掘削流体。
〔７〕  前記オリゴマー部分が、1-ヘキセンの主に三量体を三量体含有量が30%を超えて含んでいる、〔1〕に記載の掘削流体。
〔８〕  前記オリゴマー部分が、1-ヘキセンの主に三量体を三量体含有量が40%を超えて含んでいる、〔7〕に記載の掘削流体。
〔９〕  前記オリゴマー部分が、1-ヘキセンの主に三量体を三量体含有量が50%を超えて含んでいる、〔8〕に記載の掘削流体。
〔１０〕  流体が約-20℃以下の流動点を有する、〔1〕に記載の掘削流体。
〔１１〕  流体が約-25℃以下の流動点を有する、〔1〕に記載の掘削流体。
〔１２〕  流体が約120℃以上の引火点を有する、〔1〕に記載の掘削流体。
〔１３〕  流体が約0.79〜約0.82グラム/mlの密度を有する、〔1〕に記載の掘削流体。
〔１４〕  流体が40℃において約3cSt未満の粘度を有する、〔1〕に記載の掘削流体。
〔１５〕  前記オリゴマー部分が、酸タイプの触媒によって製造されており; 前記酸タイプの触媒が不均質固体酸触媒を含んでいる、〔1〕に記載の掘削流体。
〔１６〕  前記オリゴマー部分が酸タイプの触媒によって製造されており; 前記酸タイプの触媒がプロトン性助触媒、非プロトン性助触媒、又はこれらの混合物によって促進される三フッ化ホウ素を含んでいる、〔1〕に記載の掘削流体。
〔１７〕  前記オリゴマー部分が酸タイプの触媒によって製造されており; 前記酸タイプの触媒がアルコールアルコキシレートによって促進される三フッ化ホウ素を含んでいる、〔1〕に記載の掘削流体。
〔１８〕  前記オリゴマー部分が酸タイプの触媒によって製造されており; 前記酸タイプの触媒がアルコールアルコキシレートによって促進される三フッ化ホウ素を含み; アルコールアルコキシレートが2-メトキシエタノール又は1-メトキシ-2-プロパノールを含んでいる、〔17〕に記載の掘削流体。
〔１９〕  掘削流体が、流体を65モルパーセントの16個の炭素の炭素数を有する分子及び35モルパーセントの18個の炭素の炭素数を有する分子を有する内部オレフィン分子の参照基準と比較した場合に、米国環境保護庁NPDES2012(全米汚水廃棄除去システム)メキシコ湾の外洋大陸棚西部の石油・ガス抽出カテゴリーの沖合サブカテゴリーにおける新規及び既存のソース及び新規排出のための一般許可(GMG290000及びTXG330000)海洋密閉ボトル生分解試験システムにおける非水性ベース流体の劣化判定のためのプロトコールによって測定されるように約1.0以下の生分解比を有する、〔1〕に記載の掘削流体。
〔２０〕  掘削流体が、前記オリゴマー部分の成分のみの生分解性より少なくとも約20パーセントが改善された生分解性を有する、〔1〕に記載の掘削流体。
〔２１〕  掘削流体が、流体を65モルパーセントの16個の炭素の炭素数を有する分子及び35モルパーセントの18個の炭素の炭素数を有する分子を有する内部オレフィン分子の参照基準と比較するために10日間底質毒性試験においてレプトケイルス・プルムロスス(Leptocheirus Plumulosus)又はリテキヌス・バリエガツス(Lytechinus variegatus)、メニジア・ベリリナ(Menidia Beryllina)、ダフニア・マグナ(Daphnia magma)、ダフィニア・シミリス(Daphnia similis)、サルモネラ種(Salmonella sp)、シュードキルクネリエラ・サブカピタダ(Pseudokirchneriella subcapitada)、ジアファノソマ・ブラキュルム(Diaphanosoma brachyurum)、グランジジエレラ種(Grandidierella sp)、コロフィウム・ボルタトル(Corophium volutator)又はミシドプシス・バヒア(Mysidopsis Bahia)を用いる米国環境保護庁NPDES2012(全米汚水廃棄除去システム)メキシコ湾の外洋大陸棚西部の石油・ガス抽出カテゴリーの沖合サブカテゴリーにおける新規及び既存のソース及び新規排出のための一般許可(GMG290000及びTXG330000)に必要とされる米国試験材料協会方法E1367-99試験プロトコールによって測定されるように約1.0以下の毒性比を有する、〔1〕に記載の掘削流体。
〔２２〕  掘削流体が、第1の流体成分のみと第2の掘削流体成分のみの両方の毒性より少なくとも約30パーセントが改善された毒性を有する、〔1〕に記載の掘削流体。
〔２３〕  掘削流体が、ベース流体1グラムにつき約0.00001グラム未満の多環芳香族炭化水素を含んでいる、〔1〕に記載の掘削流体。
〔２４〕  掘削流体が、沖合の石油・ガス産業排出におけるディーゼル、鉱物及び原油の測定方法に発表されたように、方法1654Aによって測定された通りベース流体1グラムにつき約0.00001グラム未満の多環芳香族炭化水素を含んでいる、〔1〕に記載の掘削流体。
〔２５〕  掘削流体が、パート435のサブパートAのアペンディックス2 - 40 CFRパート435における掘削流体毒性試験(EPA法1619)で確認されるようにミシドプシス・バヒア(Mysidopsis bahia)又はミシス・レリクタ(Mysis relicta)を用いた海水の掘削流体浮遊微粒子相(SPP)に対する容積比で30,000ppmの最低96時間LC50を有する、〔1〕に記載の掘削流体。
〔２６〕  前記直鎖オレフィン部分の成分が異性化又は水素添加されていない、〔1〕に記載の掘削流体。
〔２７〕  直鎖アルファオレフィン、直鎖内部オレフィン、分枝鎖オレフィン、分枝鎖内部オレフィン、エステル、水、鉱油、強化鉱油、水中油型エマルジョン、油中水型エマルジョン、パラフィン、脂肪酸、又はこれらの混合物を更に含む、〔1〕に記載の掘削流体。
〔２８〕  環境保護指定区域に用いるのに適している掘削流体であって、流体が、OSPAR条約2000/4に従って、OSPAR条約2008/1及び2010/4、2012-05で改正されたように、Marine BodisがOECD301A、B、C、D又はFによって測定したように少なくとも60%で、OCNS分類がいずれかのDであり、最低水生毒性が>100及び最低底質毒性が>1,000で、登録産物の水産海洋科学センター(CEFAS)限定のランクリストに挙げられたように、代替警告がなく、プレスクリーニングを合格している、前記掘削流体。
〔２９〕  環境保護指定区域に用いるのに適している掘削流体であって、流体が、OSPAR条約2000/4に従って、OSPAR条約2008/1及び2010/4、2012-05で改正されたように、Marine BodisがOECD301A、B、C、D又はFによって測定したように少なくとも60%で、OCNS分類がいずれかのEであり、最低水生毒性が>1000及び最低底質毒性が>10,000で、登録産物の水産海洋科学センター(CEFAS)限定のランクリストに挙げられたように、代替警告がなく、プレスクリーニングを合格している、前記掘削流体。
〔３０〕  環境保護指定区域に用いるのに適している掘削流体であって、流体が、下記の基準を満たしており; CONAMA決議23/94(国立環境評議会)によって指定されブラジル環境・再生可能天然資源院(IBAMA)によって管理されるように、引火点がASTM D 93を用いて少なくとも120℃、40℃における動粘性率が<3センチストーク、及びOECD 117によって測定されるようにLog Powが>3、及び>90%のオレフィン含有量でASTM D 1298によって測定されるように密度が0.79〜0.82である、前記掘削流体。
〔３１〕  掘削流体の製造方法であって、
約4個の炭素と約12個の炭素の間の炭素数を有するオレフィンをオリゴマー化して、オリゴマー部分を形成する工程であって、オリゴマー部分が酸タイプの触媒で形成されている、前記工程; 及び
オリゴマー部分と直鎖オレフィン部分をブレンドする工程
を含む、前記方法。
〔３２〕  掘削流体が、約-10℃以下の流動点、約1.0以下の生分解比、約1.0以下の毒性比、少なくとも約60%のMarine Bodis、約110℃以上の引火点、40℃において約4cSt未満の粘度、約0.78〜約0.83グラム/mlの密度、及び約3を超えるlog Powを有する、〔31〕に記載の方法。
〔３３〕  掘削流体が、約0.1〜約60質量パーセントの直鎖オレフィン部分を含んでいる、〔31〕に記載の方法。
〔３４〕  掘削流体が、約1〜約50質量パーセントの直鎖オレフィン部分を含んでいる、〔33〕に記載の方法。
〔３５〕  直鎖アルファオレフィン含有量が約50質量パーセントのC14であり、掘削流体が約50質量%のオリゴマー部分を含んでいる、〔31〕に記載の方法。
〔３６〕  流体が約-20℃以下の流動点を有する、〔32〕に記載の方法。
〔３７〕  流体が約-25℃以下の流動点を有する、〔36〕に記載の方法。
〔３８〕  流体が約120℃以上の引火点を有する、〔32〕に記載の方法。
〔３９〕  流体が約0.79〜約0.82グラム/mlの密度を有する、〔32〕に記載の方法。
〔４０〕  流体が40℃において約3cSt未満の粘度を有する、〔32〕に記載の方法。
〔４１〕  前記オリゴマー部分が、酸タイプの触媒によって製造されており; 前記酸タイプの触媒が不均質固体酸触媒を含んでいる、〔31〕に記載の方法。
〔４２〕  前記オリゴマー部分が酸タイプの触媒によって製造されており; 前記酸タイプの触媒がプロトン性助触媒、非プロトン性助触媒、又はこれらの混合物によって促進される三フッ化ホウ素を含んでいる、〔31〕に記載の方法。
〔４３〕  前記オリゴマー部分が酸タイプの触媒によって製造されており; 前記酸タイプの触媒がアルコールアルコキシレートによって促進される三フッ化ホウ素を含んでいる、〔31〕に記載の方法。
〔４４〕  前記オリゴマー部分が酸タイプの触媒によって製造されており; 前記酸タイプの触媒がアルコールアルコキシレートによって促進される三フッ化ホウ素を含み; アルコールアルコキシレートが2-メトキシエタノール又は1-メトキシ-2-プロパノールを含んでいる、〔43〕に記載の方法。
〔４５〕  掘削流体が、流体を65モルパーセントの16個の炭素の炭素数を有する分子及び35モルパーセントの18個の炭素の炭素数を有する分子を有する内部オレフィン分子の参照基準と比較した場合に、米国環境保護庁NPDES2012(全米汚水廃棄除去システム)メキシコ湾の外洋大陸棚西部の石油・ガス抽出カテゴリーの沖合サブカテゴリーにおける新規及び既存のソース及び新規排出のための一般許可(GMG290000及びTXG330000)海洋密閉ボトル生分解試験システムにおける非水性ベース流体の劣化判定のためのプロトコールによって測定されるように約1.0以下の生分解比を有する、〔31〕に記載の方法。
〔４６〕  掘削流体が、前記オリゴマー部分の成分のみの生分解性より少なくとも約20パーセントが改善された生分解性を有する、〔31〕に記載の掘削流体。
〔４７〕  掘削流体が、流体を65モルパーセントの16個の炭素の炭素数を有する分子及び35モルパーセントの18個の炭素の炭素数を有する分子を有する内部オレフィン分子の参照基準と比較するために10日間底質毒性にレプトケイルス・プルムロスス(Leptocheirus Plumulosus)又はリテキヌス・バリエガツス(Lytechinus variegatus)、メニジア・ベリリナ(Menidia Beryllina)、ダフニア・マグナ(Daphnia magma)、ダフィニア・シミリス(Daphnia similis)、サルモネラ種(Salmonella sp)、シュードキルクネリエラ・サブカピタダ(Pseudokirchneriella subcapitada)、ジアファノソマ・ブラキュルム(Diaphanosoma brachyurum)、グランジジエレラ種(Grandidierella sp)、コロフィウム・ボルタトル(Corophium volutator)又はミシドプシス・バヒア(Mysidopsis Bahia)を用いる米国環境保護庁NPDES2012(全米汚水廃棄除去システム)メキシコ湾の外洋大陸棚西部の石油・ガス抽出カテゴリーの沖合サブカテゴリーにおける新規及び既存のソース及び新規排出のための一般許可(GMG290000及びTXG330000)に必要とされる米国試験材料協会方法E1367-99試験プロトコールによって測定されるように、約1.0以下の毒性比を有する、〔31〕に記載の方法。
〔４８〕  掘削流体が、第1の流体成分のみと第2の掘削流体成分のみの両方の毒性より少なくとも約30パーセントが改善された毒性を有する、〔31〕に記載の掘削流体。
〔４９〕  掘削流体が、ベース流体1グラムにつき約0.00001グラム未満の多環芳香族炭化水素を含んでいる、〔31〕に記載の方法。
〔５０〕  掘削流体が、沖合の石油・ガス産業排出におけるディーゼル、鉱物及び原油の測定方法に発表されたように、方法1654Aによって測定された通りベース流体1グラムにつき約0.00001グラム未満の多環芳香族炭化水素を含んでいる、〔31〕に記載の方法。
〔５１〕  掘削流体が、40 CFRパート435におけるパート435のサブパートAのアペンディックス2 -掘削流体毒性試験(EPA法1619)で確認されるように、ミシドプシス・バヒア(Mysidopsis bahia)又はミシス・レリクタ(Mysis relicta)を用いた海水の掘削流体浮遊微粒子相(SPP)に対する容積比で30,000ppmの最低96時間LC50を有する、〔31〕に記載の方法。
〔５２〕  前記直鎖オレフィン部分の成分が異性化又は水素添加されていない、〔31〕に記載の方法。